(57)【要約】【課題】作業現場の施工状況を掲示板とともに撮影し、掲示板に記載した情報を自動的に読み取り、読み取った情報から撮影写真を自動的にファイリングする。【解決手段】施工位置に掲示板を設置しデジタルカメラにより撮影する手段と、前記撮影写真から掲示板の位置を認識し、掲示板に記載された施工情報を読み取る手段と、前記施工情報に基づいて撮影写真をファイルに保存する手段と、前記施工情報に基づいて撮影写真をＣＡＤデータにリンクさせる手段とを備える。【選択図】図１
2005242653.tif 000002
【特許請求の範囲】
【請求項１】
施工位置に掲示板を設置しデジタルカメラにより撮影する手段と、前記撮影写真から掲示板の位置を認識し、掲示板に記載された施工情報を読み取る手段と、前記施工情報に基づいて撮影写真をファイルに保存する手段と、前記施工情報に基づいて撮影写真をＣＡＤデータにリンクさせる手段とを備えることを特徴とする作業現場の撮影写真自動ファイリングシステム。
【発明の詳細な説明】
【技術分野】
【０００１】
本発明は、建設、土木工事における作業現場の撮影写真自動ファイリングシステムに関する。
【背景技術】
【０００２】
建設、土木工事における躯体、設備、仕上げ、メンテナンス等の検査において、施工状況の写真撮影は必須の作業として義務付けられている。例えば、配筋の配置、数量、ピッチ、規格を検査する作業は最も頻繁に行われる作業の一つであるが、この作業は現場で係員が図面との照合等を行い、その部位や日付など記した掲示板（黒板又は白板）を写し込んだ状態で配筋の状況を写真に撮っている。これらの検査の量は非常に多いため、一日に撮影される現場写真は１００枚以上に達することもある。
【０００３】
これらの現場写真は、現場事務所等にて検証用の報告書に掲載される。しかしながら、写真に基づいて分類を行おうとした場合、撮影量が膨大で非常に似通った写真が多いため、対象となる写真を探す作業に非常に手間がかかるという問題や、撮影場所や時間は掲示板に記載はされているが混乱、不明になりやすいため、整理に時間がかかり、報告書の作成や設計図面との照合など検証に至るまで必要以上に時間を要するという問題を有している。
【０００４】
従来の撮影用カメラは、特許文献１に示すように、デジタル記録媒体を利用できるため各種の情報を記録できるようになっているが、主に、日付・時刻等の情報に限られており、現場写真において必要な場所、作業内容等の情報を取得する手段が無い。また、特許文献２に示すように、写真を分類して記録する提案もあるが、具体的なグループ分けの手段を別途容易する必要があるという問題や、グループ分けの種類が増えてくると操作が煩雑になるという問題を有している。
【特許文献１】特開２００２−６２５７６
【特許文献２】特開２００３−３３８９９９
【発明の開示】
【発明が解決しようとする課題】
【０００５】
本発明は、上記従来の問題を解決するものであって、作業現場の施工状況を掲示板とともに撮影し、掲示板に記載した情報を自動的に読み取り、読み取った情報から撮影写真を自動的にファイリングすることができるシステムを提供することを目的とする。
【課題を解決するための手段】
【０００６】
そのために本発明の作業現場の撮影写真自動ファイリングシステムは、施工位置に掲示板を設置しデジタルカメラにより撮影する手段と、前記撮影写真から掲示板の位置を認識し、掲示板に記載された施工情報を読み取る手段と、前記施工情報に基づいて撮影写真をファイルに保存する手段と、前記施工情報に基づいて撮影写真をＣＡＤデータにリンクさせる手段とを備えることを特徴とする。
【発明の効果】
【０００７】
本発明によれば、作業現場の施工状況を掲示板とともに撮影し、掲示板に記載した情報を自動的に読み取り、読み取った情報から撮影写真を自動的にファイリングすることができる。
また、現場の作業管理において、従来煩雑であった撮影写真の階層別と他の情報との関連づけなどの管理を迅速に行うことができ、写真を利用した設計情報との整合性の確認や施工報告書等の作成を迅速に行うことができる。
【発明を実施するための最良の形態】
【０００８】
図１〜図４は本発明の作業現場の撮影写真自動ファイリングシステムの１実施形態を示し、図１はシステム構成図、図２〜図４は処理の流れを説明するための図である。
図１において、デジタルカメラの撮影画像は、コンピュータの画像処理手段に送られ、ここで掲示板の位置を判別し更に幾何補正を行うことにより、図４に示すような矩形形状に補正した画像を取得し、施工情報読取手段において掲示板に記載されている文字情報を読み取り、この文字情報に基づいて記憶手段に格納されている保存ファイルに撮影画像をファイリングする。保存ファイルとＣＡＤデータ（設計情報）はリンクされている。ファイリングに用いる情報は、掲示板に記載された文字を自動読み取りで認識した撮影場所、日付、時刻、施工内容、部位である。
【０００９】
上記構成からなる撮影写真自動ファイリングシステムの処理の流れを説明する。先ず、図２のステップS1において、施工位置に掲示板を設置しデジタルカメラにより撮影する。掲示板には図３に示すように、施工場所、施工部位などの情報が記載され、記載情報の表現は予め決められている。次に、ステップS2で撮影写真から掲示板の位置を認識し、図４に示すように、掲示板に記載された施工情報を読み取る。次に、ステップS3でこの施工情報に基づいて撮影写真をファイルに保存し、ステップS4で施工情報に基づいて撮影写真をＣＡＤデータにリンクさせる。
【００１０】
図５は、本発明に係るシステムの操作画面を示し設計時に作成したＣＡＤデータの平面図が表示されている。この平面図には、ＣＡＤで作成した柱、梁、床、壁などの構造部材を識別するために、Ｃ、Ｇ、Ｓ、Ｗなどの符号とそれぞれの通し番号を合成して付与されている。例えば、各柱はＣ１、Ｃ２などの文字列からなる識別情報で区別、付与されている。
【００１１】
図６は、コンピュータの記憶装置に格納されている保存ファイルの構造を示し、撮影写真は、階層構造からなり、上位階層には、各階の平面図が格納され、その下位階層には、各階の構造部材（Ｃ１、Ｃ２、Ｇ１など）毎の断面図情報がリンク格納されている。
【００１２】
図５の平面図において、例えば柱Ｃ２の部分をポインティングデバイスで指定（クリック）すると、図７に示すように、柱Ｃ２に関する検査内容と断面図情報の画面がマルチウインドウで表示される。デジタルカメラで施工部位を撮影する度に、図７の画面で「確認写真入力」ボタンをクリックすると、確認写真の通し番号（図４の「８９」）が自動的に付与される。従来掲示板に記載していた断面図情報を省略することができ、その結果、構造部材の識別情報と撮影写真の通し番号がリンクされることになり、図８（Ａ）と図８（Ｂ）の情報は、施工対象として同一の画面で表示できるようにしている。
【図面の簡単な説明】
【００１３】
【図１】本発明の作業現場の撮影写真自動ファイリングシステムの１実施形態を示すシステム構成図である。
【図２】本発明における処理の流れを説明するための図である。
【図３】施工位置の状態を示す図である。
【図４】掲示板を説明するための図である。
【図５】本発明に係るシステムの操作画面を説明するための図である。
【図６】本発明に係る撮影写真のファイル構造を示す図である。
【図７】本発明に係るシステムの操作画面を説明するための図である。
【図８】本発明に係るシステムの操作画面を説明するための図である。
【図１】
2005242653.tif 000003
【図２】
2005242653.tif 000004
【図３】
2005242653.tif 000005
【図４】
2005242653.tif 000006
【図５】
2005242653.tif 000007
【図６】
2005242653.tif 000008
【図７】
2005242653.tif 000009
【図８】
2005242653.tif 000010